(57)【特許請求の範囲】
【請求項１】
複数の電線を束ねてテープ巻きする作業を支援するため、前記複数の電線のテープ巻き付け区間を含む区間を作業台上に浮揚した状態で保持する電線保持部を前記作業台上に設けた電線テープ巻き作業台において、
前記電線保持部は、
前記テープ巻き付け区間を含む区間の一端側を固定する固定保持部と、
前記テープ巻き付け区間を含む区間の張力の変化に応じて張力を弾性力を利用して調整可能に前記テープ巻き付け区間を含む区間の他端側を保持する張力調整保持部と、
を有することを特徴とする電線テープ巻き作業台。
【請求項２】
前記固定保持部は、
複数の電線束の各分岐線を束ねた分岐線の束の端部を固定し、
前記張力調整保持部は、
前記複数の電線束の前記分岐線が分岐する側の該分岐線以外の電線の端部を保持し、
前記固定保持部および前記張力調整保持部によって前記分岐線の束をテープ巻き可能に前記作業台上に保持することを特徴とする請求項１に記載の電線テープ巻き作業台。
【請求項３】
前記複数の電線束の前記分岐線が分岐する部分から前記分岐線が分岐する側とは逆側の端部までの区間を前記電線保持部によって保持した前記分岐線の束から離して保持するように前記作業台上に設けた電線離間保持部
を有することを特徴とする請求項２に記載の電線テープ巻き作業台。
【発明の詳細な説明】
【技術分野】
【０００１】
本発明は、複数の電線を束ねてテープ巻きする作業を支援するため、複数の電線のテープ巻き付け区間を含む区間を作業台上に浮揚した状態で保持する電線テープ巻き作業台に関する。
【背景技術】
【０００２】
従来、自動車等の電気配線に用いるワイヤハーネスは、複数の電線をテープ巻きすることによって束ねた状態で配索経路に沿って設置される。このため、ワイヤハーネスを組み立てる場合、複数の電線のテープ巻き付け区間を含む区間を作業台上に浮揚した状態で保持する電線テープ巻き作業台を用いる。
【０００３】
例えば、特許文献１に記載された電線テープ巻き作業台は、複数の電線のテープ巻き付け区間を含む区間を間にして対向配置した一対の電線クランプを有し、この一対の電線クランプによって複数の電線のテープ巻き付け区間を含む区間を作業台上に浮揚した状態でテープ巻き作業を行うようになっている。
【先行技術文献】
【特許文献】
【０００４】
【特許文献１】特開２００２−１０４３２１号公報
【発明の概要】
【発明が解決しようとする課題】
【０００５】
しかしながら、特許文献１に記載された電線テープ巻き作業台は、複数の電線の一端側を揃えた状態でテープを巻き付けて束ねる場合、一方の電線クランプで複数の電線の端部を揃えた状態で固定しつつ、他方の電線クランプで一対の電線クランプによって保持した電線の区間に適当な張力が作用するように固定することが難しく、しかも、テープの巻き付け作業時に作業者によって電線に過大な張力を負荷すると、電線を損傷してしまうおそれがあった。
【０００６】
本発明は、上記に鑑みてなされたものであって、複数の電線の一端側を揃えた状態で複数の電線を束ねてテープ巻きする作業を容易にすることができ、しかも、複数の電線を束ねてテープ巻きする作業を行う場合に、電線に過大な張力が負荷されることによって電線が損傷することを防ぐことができる電線テープ巻き作業台を提供することを目的とする。
【課題を解決するための手段】
【０００７】
上述した課題を解決し、目的を達成するために、本発明の請求項１に係る電線テープ巻き作業台は、複数の電線を束ねてテープ巻きする作業を支援するため、前記複数の電線のテープ巻き付け区間を含む区間を作業台上に浮揚した状態で保持する電線保持部を前記作業台上に設けた電線テープ巻き作業台において、前記電線保持部は、前記テープ巻き付け区間を含む区間の一端側を固定する固定保持部と、前記テープ巻き付け区間を含む区間の張力の変化に応じて張力を弾性力を利用して調整可能に前記テープ巻き付け区間を含む区間の他端側を保持する張力調整保持部と、を有することを特徴とする。
【０００８】
また、本発明の請求項２に係る電線テープ巻き作業台は、上記の発明において、前記固定保持部が、複数の電線束の各分岐線を束ねた分岐線の束の端部を固定し、前記張力調整保持部が、前記複数の電線束の前記分岐線が分岐する側の該分岐線以外の電線の端部を保持し、前記固定部および前記張力調整保持部によって前記分岐線の束をテープ巻き可能に前記作業台上に保持することを特徴とする。
【０００９】
また、本発明の請求項３に係る電線テープ巻き作業台は、上記の発明において、前記複数の電線束の前記分岐線が分岐する部分から前記分岐線が分岐する側とは逆側の端部までの区間を前記電線保持部によって保持した前記分岐線の束から離して保持するように前記作業台上に設けた電線離間保持部を有することを特徴とする。
【発明の効果】
【００１０】
本発明の請求項１に係る電線テープ巻き作業台は、前記張力調整保持部によって前記複数の電線のテープ巻き付け区間を含む区間の張力を弾性力を利用して調整した状態で前記固定保持部によって前記複数の電線のテープ巻き付け区間を含む区間の一端側の端部を揃えて固定することができるとともに、前記テープ巻き付け区間にテープを巻き付ける作業を行う際、前記テープ巻き付け区間を含む区間の電線に過大な張力が負荷されないように前記張力調整保持部によって弾性力を利用して張力が調整されるので、結果的に、複数の電線の一端側を揃えた状態で複数の電線を束ねてテープ巻きする作業を容易にすることができ、しかも、複数の電線を束ねてテープ巻きする作業を行う場合に、電線に過大な張力が負荷されることによって電線が損傷することを防ぐことができる。
【００１１】
本発明の請求項２に係る電線テープ巻き作業台は、前記固定保持部および前記張力調整保持部によって前記分岐線の束をテープ巻き可能に前記作業台上に保持しているので、前記分岐線の束にテープを巻き付ける作業を行う際、前記テープ巻き付け区間を含む区間の前記分岐線が分岐する部分に過大な張力が負荷されないように前記張力調整保持部によって弾性力を利用して張力が調整されるので、過大な張力が負荷されることによって前記分岐線が分岐する部分が損傷することを防ぐことができる。
【００１２】
本発明の請求項３に係る電線テープ巻き作業台は、前記電線離間保持部が前記複数の電線束の前記分岐線が分岐する部分から前記分岐線が分岐する側とは逆側の端部までの区間を前記電線保持部によって保持した前記分岐線の束から離して保持するので、前記分岐線の束にテープを巻き付ける際に前記電線保持部によって保持する前記テープ巻き付け区間を含む区間以外の電線部分が邪魔にならないため、前記分岐線の束にテープを巻き付ける作業の作業性を向上することができる。
【図面の簡単な説明】
【００１３】
【図１】図１は、本発明の実施例に係る電線テープ巻き作業台の斜視図である。
【図２】図２は、図１に示した電線テープ巻き作業台の張力調整保持部周辺の斜視図であり、（ａ）が可動支持部が一対の柱状部を直立状態から僅かに背面側に傾けている状態を示した図であり、（ｂ）が可動支持部が一対の柱状部を固定保持部側に向けて傾けている状態を示した図である。
【図３】図３は、図１に示した電線テープ巻き作業台の固定保持部周辺の斜視図である。
【図４】図４は、電線テープ巻き作業台によって束ねてテープ巻きする電線について説明するために示したワイヤハーネスの斜視図である。
【図５】図５は、（ａ）が作業者がテープ巻きする前のワイヤハーネスを張力調整保持部に保持する様子を示した図であり、（ｂ）が作業者が複数の分岐線の端部を揃えている様子を示した図である。
【図６】図６は、（ａ）が分岐線の束の端部を固定保持部によって固定する様子を示した図であり、（ｂ）が作業者がワイヤハーネスの分岐線が分岐する側とは逆側の端部を電線保持部によって保持した後、分岐線の束にテープを巻き付へ開始した様子を示した図である。
【図７】図７は、（ａ）が作業者がテープを分岐線の束の途中まで巻き進めた状態を示した図であり、（ｂ）が作業者が電線保持部によって保持していたワイヤハーネスの電線部分をテープ巻き完了した分岐線の束に沿うように配置し、分岐部分周辺をテープ巻きする様子を示した図である。
【図８】図８は、作業者が固定保持部による固定を解除した後、張力調整保持部から各ワイヤハーネスを取り外す様子を示した図である。
【実施例】
【００１４】
図１は、本発明の実施例に係る電線テープ巻き作業台１の斜視図である。図２は、図１に示した電線テープ巻き作業台１の張力調整保持部３０周辺の斜視図であり、（ａ）が可動支持部３２が一対の柱状部３１ａを直立状態から僅かに背面側に傾けている状態を示した図であり、（ｂ）が可動支持部３２が一対の柱状部３１ａを固定保持部側に向けて傾けている状態を示した図である。図３は、図１に示した電線テープ巻き作業台１の固定保持部２０周辺の斜視図である。図４は、電線テープ巻き作業台１によって束ねてテープ巻きする電線Ｗについて説明するために示したワイヤハーネスＷＨの斜視図である。
本発明の実施例に係る電線テープ巻き作業台１は、ワイヤハーネスＷＨを構成する複数の電線Ｗを束ねてテープ巻きする作業を支援するためのものである。
【００１５】
まず、電線テープ巻き作業台１を用いてテープ巻きする電線Ｗについて説明する。
電線Ｗは、複数本ずつ束ねるようにしてテープ巻きした電線束Ｗｂの状態で、両端に端子Ｔを設け、一端側の端子ＴをコネクタハウジングＣｈに嵌め込むことによってコネクタＣを設けている。
なお、この実施例では、図４に示すように、電線テープ巻き作業台１を用いてテープ巻きする前の状態のワイヤハーネスＷＨ（以下、単に「テープ巻き前ワイヤハーネス」という。）は、一つのコネクタハウジングＣｈに２本の電線束Ｗｂのそれぞれの電線Ｗが一端側の端子Ｔを嵌め込んだ状態になっている。
【００１６】
また、各電線束Ｗｂを構成する複数の電線Ｗは、コネクタハウジングＣｈに端子Ｔを介して嵌め込まれる電線Ｗと分岐した１本の分岐線Ｗｊを有する。この分岐線Ｗｊの端部は、絶縁被覆を剥がして導体が露出した状態になっている。
この実施例では、電線テープ巻き作業台１を用いて２つのワイヤハーネスＷＨの４つの電線束Ｗｂの各分岐線Ｗｊを束ねるようにテープ巻きする。
【００１７】
次に、電線テープ巻き作業台１について詳細に説明する。
電線テープ巻き作業台１は、複数の電線Ｗのテープ巻き付け区間を含む区間Ｓ（以下、「保持区間」という。）を作業台１０上に浮揚した状態で保持する電線保持部１１を作業台１０上に設けている。
電線保持部１１は、保持区間Ｓの一端側を固定する固定保持部２０と、保持区間Ｓの張力の変化に応じて張力を弾性力を利用して調整可能に保持区間Ｓの他端側を保持する張力調整保持部３０と、を有する。
このような電線テープ巻き作業台１は、電線保持部１１と、固定保持部２０による電線Ｗの固定および固定解除を自動で行うため作業者が操作する部分となる操作スイッチ部５０と、複数の電線束Ｗｂの分岐線Ｗｊが分岐する部分から分岐線Ｗｊが分岐する側とは逆側の端部までの区間を電線保持部１１によって保持した分岐線の束Ｗｂから離して保持するように作業台１０上に設けた電線離間保持部４０と、を有する。
【００１８】
なお、固定保持部２０は、２つのワイヤハーネスＷＨの各分岐線Ｗｊを束ねた分岐線の束Ｗｊｂの端部を固定する。
この固定保持部２０は、複数の電線Ｗの保持区間Ｓの一端側を挟持する挟持部２１と、挟持部２１を挟持位置と挟持解除位置とに位置するように駆動する不図示の駆動部と、を有する。
【００１９】
挟持部２１は、分岐線の束Ｗｊｂの端部を挟持する面を互いに向かい合わせて配置した一対の挟持片２１ａ、２１ｂを有し、一方の挟持片２１ａを所定位置に固定し、他方の挟持片２１ｂを駆動部によって挟持位置と挟持解除位置とに移動する。
【００２０】
駆動部は、例えば、エアシリンダーによって実現し、操作スイッチ部５０に接続することによって、操作スイッチ部５０からの出力信号に基づいて挟持部２１を駆動するようになっている。
【００２１】
張力調整保持部３０は、保持区間Ｓの他端側を保持する可動側保持部３１と、可動側保持部３１と固定保持部２０との間の距離を変化できるように可動側保持部３１を可動可能に支持する可動支持部３２と、可動支持部３２の後述する支持本体部３２ａに連結し、支持本体部３２ａに可動方向の力を弾性的に作用する弾性力作用部３３と、支持本体部３２ａの可動範囲を規制する可動規制部３４と、弾性力作用部３３および可動規制部３４の一部に連結することによって弾性力作用部３３および可動規制部３４を支持する板バネ型支持部３５と、を有する。
【００２２】
この実施例では、２つのワイヤハーネスＷＨを保持するように２つの張力調整保持部３０を作業台１０上に並設している。
なお、張力調整保持部３０の数は２つに限らず、保持する電線Ｗの構成に応じて設けるようにすればよい。例えば、上述したワイヤハーネスＷＨを１つだけ保持する場合、張力調整保持部３０の数は１つであってもよい。
【００２３】
可動側保持部３１は、電線Ｗを間に挿通可能、かつ、コネクタハウジングＣｈが挿通されない間隔を隔てて向かい合うように立設した一対の柱状部３１ａ、３１ａを有する。
【００２４】
各柱状部３１ａは、外周を滑り難い材質の部材で覆い、かつ、複数のリップ状の凸部が周方向に沿って略等間隔に形成されている。
【００２５】
このような可動側保持部３１は、一対の柱状部３１ａ、３１ａの上端側から一対の柱状部３１ａ、３１ａの間にコネクタＣ周辺の複数の電線ＷをコネクタハウジングＣｈが一対の柱状部３１ａ、３１ａの固定保持部２０に対峙する面の裏側（以下、背面側という。）に位置するように入れ込むことによって、ワイヤハーネスＷＨの一端側を保持するようになっている。
【００２６】
可動支持部３２は、一対の柱状部３１ａ、３１ａが立設する支持本体部３２ａと、支持本体部３２ａを回動可能に軸支する軸支部３２ｂと、を有する。
このような可動支持部３２は、一対の柱状部３１ａ、３１ａを直立状態から僅かに背面側に傾いた位置（図２（ａ）参照）と、固定保持部２０側に向けて傾いた位置（図２（ｂ）参照）との間で回動するように支持している。
【００２７】
なお、２つの張力調整保持部３０の各支持本体部３２ａは、互いの間を橋渡すように連結する連結部３６（図２参照）を設けることによって同時に可動するようになっている。
【００２８】
弾性作用部３３は、バネ部材であり、この実施例では弾性力の異なる２種類のバネ部材３３ａ、３３ｂを２つ連ねて設けている。この弾性作用部３３は、一端側を連結部３６に引っ掛け、他端側を板バネ型支持部３５に引っ掛けるようになっている。
なお、バネ部材の数、および、種類は所望の弾性力に応じて設定すればよい。
【００２９】
可動規制部３４は、結束バンドであり、板バネ型支持部３５の上部に形成したバンド挿通孔３５ａに通して板バネ型支持部３５に輪状に結束したバンドの輪の内部に連結部３６を挿通するように設けている。
このため、支持本体部３２ａが固定保持部２０側に回動して所定の傾きに達すると、連結部３６が可動規制部３４の輪の内側に当接することによって、支持本体部３２ａが固定保持部２０側にさらに傾くことを阻止するようになっている。
これにより、支持本体部３２ａを固定保持部２０側に傾け過ぎることによって弾性力作用部３３のバネ部材３３ａ、３３ｂが損傷することを防ぐことができる。
なお、可動規制部３４は、板バネ型支持部３５に結束しているため、板バネ型支持部３５によって適当な弾性力が作用されながら連結部３６に当接するようになっている。
【００３０】
板バネ型支持部３５は、板状の金属部材をＬ字状に曲げ加工した部材である。この板バネ型支持部３５は、屈曲部分を境界として略直交する２片のうち、１片を作業台１０上に固定する一方、他片が屈曲部分を固定端として上端部を自由端とするように設けている。
【００３１】
なお、２つの張力調整保持部３０は、弾性力作用部３３、可動規制部３４、および、板バネ型支持部３５を共有するものを例示したが、これらを各張力調整保持部３０に設けるようにしても構わない。
【００３２】
電線離間保持部４０は、Ｕ字フォーク状の部材であり、Ｕ字状の部分に電線を引っ掛けて保持するようになっている。この電線離間保持部４０は、複数の電線束Ｗｂの分岐線Ｗｊが分岐する側とは逆側のワイヤハーネスＷＨの端部を複数の電線束Ｗｂの分岐線Ｗｊが分岐する側の端部に向けて折り返した状態で保持する。
なお、電線離間保持部４０は電線Ｗを保持することできれば、Ｕ字フォーク状の部材に限らず、その他のものであっても構わない。
【００３３】
次に、図５−図８用いて電線テープ巻き作業台１を用いて複数の電線Ｗを束ねてテープ巻きする作業手順を説明する。
図５は、（ａ）が作業者がテープ巻きする前のワイヤハーネスＷＨを張力調整保持部３０に保持する様子を示した図であり、（ｂ）が作業者が複数の分岐線Ｗｊの端部を揃えている様子を示した図である。図６は、（ａ）が分岐線の束Ｗｊｂの端部を固定保持部２０によって固定する様子を示した図であり、（ｂ）が作業者が２つのテープ巻き前ワイヤハーネスＷＨの分岐線Ｗｊが分岐する部分から複数の電線束Ｗｂの分岐線Ｗｊが分岐する側とは逆側の端部までの区間を電線離間保持部４０によって保持した後、分岐線の束ＷｊｂにテープＴＰを巻き付け開始した様子を示した図である。図７は、（ａ）が作業者がテープＴＰを分岐線の束Ｗｊｂの途中まで巻き進めた状態を示した図であり、（ｂ）が作業者が電線保持部１１によって保持していたワイヤハーネスＷＨの電線部分をテープ巻き完了した分岐線の束Ｗｊｂに沿うように配置し、分岐部分Ｐ周辺をテープ巻きする様子を示した図である。図８は、作業者が固定保持部２０による固定を解除した後、張力調整保持部３０から各ワイヤハーネスＷＨを取り外す様子を示した図である。
【００３４】
まず、作業者は、２つのテープ巻き前ワイヤハーネスＷＨを各張力調整保持部３０によって保持する（図５（ａ）参照）。ここで、作業者は、各テープ巻き前ワイヤハーネスＷＨのコネクタＣ周辺の複数の電線Ｗを一対の柱状部３１ａ、３１ａの上端側から一対の柱状部３１ａ、３１ａの間にコネクタハウジングＣｈが背面側に位置するように入れ込む。
【００３５】
次に、作業者は、２つのテープ巻き前ワイヤハーネスＷＨの各電線束Ｗｂから分岐した分岐線Ｗｊを束ねて、複数の分岐線Ｗｊの端部を揃える（図５（ａ）参照）。
【００３６】
次に、作業者は、分岐線の束Ｗｊｂの端部を固定保持部２０によって固定する（図６（ａ）参照）。
ここで、作業者は複数の分岐線Ｗｊの端部を揃えた状態で固定保持部２０の一対の挟持片２１ａ、２１ｂの間に分岐線の束Ｗｊｂの端部を挿入しつつ、操作スイッチ部５０を操作する。
これにより、複数の分岐線Ｗｊが挟持部２１よって端部を揃えた状態で固定される。
また、テープ巻き前ワイヤハーネスＷＨはコネクタＣ側の端部を張力調整保持部３０によって保持されているものの、支持本体部３２ａが固定保持部２０側に傾くように回動することによって、分岐線の束Ｗｊｂの端部を固定保持部２０に容易に近づけることができる。
このようにして各テープ巻き前ワイヤハーネスＷＨを各張力調整保持部３０および固定保持部２０によって作業台１０上に保持することによって、保持区間Ｓが固定保持部２０と張力調整保持部３０との間で適当な張力を保ちながら保持される。
【００３７】
次に、作業者は、２つのテープ巻き前ワイヤハーネスＷＨの分岐線Ｗｊが分岐する部分から複数の電線束Ｗｂの分岐線Ｗｊが分岐する側とは逆側の端部までの区間を電線離間保持部４０によって保持した後、分岐線の束ＷｊｂにテープＴＰを巻き付ける（図６（ｂ）、７（ａ）参照）。
この時、テープＴＰの巻き始めから巻き付け完了するまでの間、作業者が保持区間Ｓに沿ってテープＴＰを移動させながら巻き付けるため、テープＴＰの巻き付け作業による外力が保持区間Ｓに作用される。
ここで、テープＴＰの巻き付け作業による過度な外力が保持区間Ｓの電線Ｗに負荷され、保持区間Ｓでの電線Ｗの張力が増加すると、張力調整保持部３０の支持本体部３２ａが固定保持部２０側に傾斜することによって電線Ｗに負荷される張力が減少し、適当な張力に調整される。
なお、電線離間保持部４０によって分岐線Ｗｊが分岐する部分から複数の電線束Ｗｂの分岐線が分岐する側とは逆側の端部までの区間を電線保持部１１によって保持した分岐線の束Ｗｊｂから離して保持しているので、テープ巻きする部分以外の電線部分がテープ巻き作業の邪魔にならない。
【００３８】
次に、作業者は、電線保持部４０によって分岐線の束Ｗｊｂから離れるように保持していた２つのワイヤハーネスＷＨの電線部分をテープ巻き完了した分岐線の束Ｗｊｂに沿うように配置し、分岐部分Ｐ周辺をテープ巻きする（図７（ｂ）参照）。
【００３９】
最後に、作業者は固定保持部２０による固定を解除した後、張力調整保持部３０から各ワイヤハーネスを取り外すことによってこの作業を完了する（図８参照）。ここで作業者は、操作スイッチ部５０を操作し、挟持部２１による分岐線の束Ｗｊｂの端部の固定を自動で解除する。
【００４０】
本発明の実施例に係る電線テープ巻き作業台１は、張力調整保持部３０によって複数の電線Ｗの保持区間Ｓの張力を弾性力を利用して調整した状態で固定保持部２０によって複数の電線Ｗの保持区間Ｓの一端側の端部を揃えて固定することができるとともに、テープ巻き付け区間にテープを巻き付ける作業を行う際、保持区間Ｓの電線に過大な張力が負荷されないように張力調整保持部３０によって弾性力を利用して張力が調整されるので、結果的に、複数の電線Ｗの一端側を揃えた状態で複数の電線Ｗを束ねてテープ巻きする作業を容易にすることができ、しかも、複数の電線を束ねてテープ巻きする作業を行う場合に、電線に過大な張力が負荷されることによって電線が損傷することを防ぐことができる。
【００４１】
また、本発明の実施例に係る電線テープ巻き作業台１は、固定保持部２０および張力調整保持部３０によって分岐線の束Ｗｊｂをテープ巻き可能に作業台１０上に保持しているので、分岐線の束ＷｊｂにテープＴを巻き付ける作業を行う際、保持区間Ｓの分岐線Ｗｊｂが分岐する部分Ｐに過大な張力が負荷されないように張力調整保持部３０によって弾性力を利用して張力が調整されるので、過大な張力が負荷されることによって分岐線Ｗｊｂが分岐する部分Ｐが損傷することを防ぐことができる。
【００４２】
また、本発明の実施例に係る電線テープ巻き作業台１は、電線離間保持部４０が複数の電線束Ｗｂの分岐線Ｗｊが分岐する部分Ｐから分岐線Ｗｊが分岐する側とは逆側の端部までの区間を電線保持部１１によって保持した分岐線の束Ｗｊｂから離して保持するので、分岐線の束Ｗｊｂにテープを巻き付ける際に電線保持部１１によって保持する保持区間Ｓ以外の電線部分が邪魔にならないため、分岐線の束ＷｊｂにテープＴを巻き付ける作業の作業性を向上することができる。
【００４３】
なお、この実施例に係る電線テープ巻き作業台１は、複数の電線束Ｗｂから分岐する分岐線Ｗｊを束ねてテープ巻きする作業に用いるものを例示したが、これに限らず、分岐線Ｗｊ以外の電線Ｗの束を束ねてテープ巻きする作業にも用いることができる。
【００４４】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４５】
１        電線テープ巻き作業台
１０      作業台
１１      電線保持部
２０      固定保持部
２１      挟持部
２１ａ、２１ｂ  挟持片
３０      張力調整保持部
３１      可動側保持部
３１ａ    柱状部
３２      可動支持部
３２ａ    支持本体部
３２ｂ    軸支部
３３      弾性力作用部
３３ａ、３３ｂ  バネ部材
３４      可動規制部
３５      板バネ型支持部
３５ａ    バンド挿通孔
３６      連結部
４０      電線離間保持部
５０      操作スイッチ部
ＷＨ      ワイヤハーネス
Ｗ        電線
Ｗｂ      電線束
Ｗｊ      分岐線
Ｗｊｂ    分岐線の束
Ｓ        保持区間
Ｐ        分岐する部分
Ｔ        端子
Ｃｈ      コネクタハウジング
Ｃ        コネクタ
ＴＰ      テープ
【図１】
0006487780.tif 000002
【図２】
0006487780.tif 000003
【図３】
0006487780.tif 000004
【図４】
0006487780.tif 000005
【図５】
0006487780.tif 000006
【図６】
0006487780.tif 000007
【図７】
0006487780.tif 000008
【図８】
0006487780.tif 000009